(57)【要約】【課題】無端チェーンの回転の際におけるサイド刃に作用する抵抗に対応して突出長さを可変することで、無端チェーンを回転して地中においてカッターポストの両側面の縁切りを行うことを可能とする。【解決手段】走行自在なベースマシン１に垂設支持されるカッターポスト２の外周に掘削刃３を有する無端チェーン４を回動自在に巻装した連続地中壁掘削機である。無端チェーン４に、カッターポスト２の両側方に位置するように無端チェーン４の内周方向に向けて突出するサイド刃５を設ける。無端チェーン４の回動に伴うサイド刃５の下向きの移動又は上向の移動状態での平面視におけるサイド刃５の無端チェーン４からの突出長を可変とする。【選択図】図１
2012162892.tif 000002
【特許請求の範囲】
【請求項１】
走行自在なベースマシンに垂設支持されるカッターポストの外周に掘削刃を有する無端チェーンを回動自在に巻装した連続地中壁掘削機であって、
無端チェーンに、カッターポストの両側方に位置するように無端チェーンの内周方向に向けて突出するサイド刃を設け、
上記無端チェーンの回動に伴うサイド刃の下向きの移動又は上向の移動状態での平面視におけるサイド刃の無端チェーンからの突出長を可変として成ることを特徴とする連続地中壁掘削機。
【請求項２】
サイド刃が、カッターポストの側面と平行又は略平行な垂直面内で無端チェーンと交差する方向に突出・後退自在となると共に、押し出し手段により突出方向の力が付与され、且つ、土砂の抵抗により平面視におけるサイド刃の突出長が短くなるようにサイド刃が押し出し手段に抗して後退するものであることを特徴とする請求項１記載の連続地中壁掘削機。
【請求項３】
サイド刃が、カッターポストの側面と平行又は略平行な垂直面内で回動自在となり、このサイド刃を平面視での突出長さがほぼ最大となる位置に回動付勢させるための回動付勢手段を設け、土砂の抵抗により回動付勢手段に抗して平面視におけるサイド刃の突出長が短く成ることを特徴とする請求項１記載の連続地中壁掘削機。
【請求項４】
無端チェーンにサイド刃取付け部を設け、このサイド刃取付け部にサイド刃を固着手段で固着自在に取付け、
サイド刃のサイド刃取付け部への取付けが、サイド刃の後部とサイド刃取付け部との固着手段による固着位置を変えるか、又は、複数種類のサイド刃の中から任意のサイド刃を選択してサイド刃取付け部に固着手段で固着することで、平面視におけるサイド刃のサイド刃取付け部からの突出長さを可変するものであることを特徴とする請求項１記載の連続地中壁掘削機。
【発明の詳細な説明】
【技術分野】
【０００１】
本発明は、連続地中壁掘削機に関するものである。
【背景技術】
【０００２】
従来から、地上を走行自在なベースマシンにカッターポストを垂設支持し、このカッターポスト外周に掘削刃を有する無端チェーンを回動自在に巻装した連続地中壁掘削機が知られている。
【０００３】
この連続地中壁掘削機は、地中の所定深度までカッターポストを建て込んだ後、無端チェーンを回転しながらカッターポストを横方向に移動すると共に固結用液を吐出しながら掘削刃で掘削することで、地中に連続地中壁を形成するようになっている。
【０００４】
ところで、上記のような連続地中壁掘削機で地中に連続地中壁を造成する作業は、通常、一日で完了することがなく、何日にもわたって継続して行われるのが一般的である。
【０００５】
そして、一日の連続地中壁の造成作業が終わると、翌日の作業が早くかかれるように、カッターポストを地上に引き上げることなく、地中に残置したままの状態としておくのが一般的である。
【０００６】
その日における連続地中壁の造成が終わって、カッターポストを地中に残すに当り、造成した連続地中壁の端部にそのままカッターポストを残すことが考えられる。
【０００７】
この場合は、固結用液を吐出しながら掘削して掘削土砂と固結用液とを攪拌混合した連続地中壁を形成するので、その日に造成した連続地中壁の端部にカッターポストを残置しておくと、翌日の作業開始までの間に固結用液の硬化が開始され、カッターポスト、無端チェーンが固結用液で固まり、翌日の作業に支障をきたすという問題がある。
【０００８】
そのため、一日の固結用液を吐出しての連続地中壁の造成作業が終わった後、その日に造成した連続地中壁の端部から、更に、固結用液を吐出することなく無端チェーンを回転しながらカッターポストを移動させて、地中の連続地中壁の端部から離れた位置にカッターポストを退避させ、翌日は、この退避位置から前日造成した連続地中壁の端部までバックさせ、前日造成した連続地中壁の端部から再び、無端チェーンを回転しながら固結用液を吐出しつつカッターポストを移動させて前日造成した連続地中壁の端部に連続させて新たに連続地中壁の造成を継続する方法がある。
【０００９】
この場合、地中の退避位置に退避させたカッターポストを、無端チェーンを回転しながら前日造成した連続地中壁の端部側にバックさせようとする際、カッターポストの両側の土砂がカッターポストの両側面に密着して土圧がかかり、カッターポストが移動できない事態が発生するおそれがある。
【００１０】
一方、無端チェーンに、カッターポストの両側方に位置するように無端チェーンの内周方向に向けて突出するサイド刃を設けた従来例が、特許文献１、２、３等により知られている。
【先行技術文献】
【特許文献】
【００１１】
【特許文献１】特開平１０−１５９０８４号公報
【特許文献２】特開平９−３９６５号公報
【特許文献３】特開２０００−１６０５９３号公報
【発明の概要】
【発明が解決しようとする課題】
【００１２】
上記特許文献１、２、３に示す従来例は、無端チェーンの内周方向に向けて突出するサイド刃を設けてあるので、翌日の作業開始に先立って無端チェーンを回転することで、サイド刃で、カッターポストの両側面と両側の土砂、又は、固結用液を混入した土砂との縁切りを行うことがある程度可能である。
【００１３】
しかしながら、上記特許文献１、２、３に示す従来例はいずれも、上記無端チェーンの回動に伴うサイド刃の下向きの移動又は上向の移動状態での平面視におけるサイド刃の無端チェーンからの突出長が一定である。
【００１４】
このため、翌日の作業開始に先立って無端チェーンを回転してサイド刃で上記縁切りを開始使用とすると、サイド刃の突出長さがはじめから長い（縁切りするのに十分な突出長さ）となっているので、サイド刃を地中で上下方向に移動する際、土砂、又は、固結用液を混入した土砂の大きな抵抗を受け、回転始動の際に大きなトルクがかかり、場合によっては無端チェーンが回転できない事態が発生するという問題が発生する。
【００１５】
本発明は上記の従来例の問題点に鑑みて発明したもので、その目的とするところは、無端チェーンの回転の際におけるサイド刃に作用する抵抗に対応して突出長さを可変することで、無端チェーンを回転して地中においてカッターポストの両側面の縁切りをスムーズに行うことを可能とする連続地中壁掘削機を提供するにある。
【課題を解決するための手段】
【００１６】
本発明の連続地中壁掘削機は、走行自在なベースマシン１に垂設支持されるカッターポスト２の外周に掘削刃３を有する無端チェーン４を回動自在に巻装した連続地中壁掘削機であって、無端チェーン４に、カッターポスト２の両側方に位置するように無端チェーン４の内周方向に向けて突出するサイド刃５を設け、上記無端チェーン４の回動に伴うサイド刃５の下向きの移動又は上向の移動状態での平面視におけるサイド刃５の無端チェーン４からの突出長を可変として成ることを特徴とする。
【００１７】
このような構成とすることで、無端チェーン４を回転して無端チェーン４に設けたサイド刃５でカッターポスト２の側面と土砂との縁切りを行うに当って、土砂抵抗に応じてサイド刃５の突出長を変え、最終的には最大突出長又は最大に近い突出長さにすることでカッターポスト２の側面と土砂との縁切りを行うことができる。
【００１８】
また、サイド刃５が、カッターポスト２の側面と平行又は略平行な垂直面内で無端チェーン４と交差する方向に突出・後退自在となると共に、押し出し手段６により突出方向の力が付与され、且つ、土砂の抵抗により平面視におけるサイド刃５の突出長が短くなるようにサイド刃５が押し出し手段６に抗して後退するものであることが好ましい。
【００１９】
このような構成とすることで、土砂の抵抗に応じてサイド刃５が押し出し手段６に抗して後退した状態でカッターポスト２の側面と土砂との縁切りが行われ、最終的には押し出し手段６により最大突出長又は最大に近い突出長さまで突出した状態で縁切りを行うことができる。
【００２０】
また、サイド刃５が、カッターポスト２の側面と平行又は略平行な垂直面内で回動自在となり、このサイド刃５を平面視での突出長さがほぼ最大となる位置に回動付勢させるための回動付勢手段７を設け、土砂の抵抗により回動付勢手段７に抗して平面視におけるサイド刃５の突出長が短く成ることが好ましい。
【００２１】
このような構成とすることで、土砂の抵抗に応じてサイド刃５が回動付勢手段７に抗して回動して傾いた状態でカッターポスト２の側面と土砂との縁切りが行われ、最終的には回動付勢手段７により最大突出長又は最大に近い突出長さまで突出した状態で縁切りを行うことができる。
【００２２】
また、無端チェーン４にサイド刃取付け部８を設け、このサイド刃取付け部８にサイド刃５を固着手段９で固着自在に取付け、サイド刃５のサイド刃取付け部８への取付けが、サイド刃５の後部とサイド刃取付け部８との固着手段９による固着位置を変えるか、又は、複数種類のサイド刃５の中から任意のサイド刃５を選択してサイド刃取付け部８に固着手段９で固着することで、平面視におけるサイド刃５のサイド刃取付け部８からの突出長さを可変するものであることが好ましい。
【００２３】
このような構成とすることで、土砂の抵抗に応じて、サイド刃５の後部とサイド刃取付け部８との固着手段９による固着位置を変えるか、又は、複数種類のサイド刃５の中から任意のサイド刃５を選択してサイド刃取付け部８に固着手段９で固着することで、土砂の抵抗に応じた縁切りを行うことができる。例えば、短い突出長さで縁切りをした後、次に長い突出長さにして縁切りを続けるというようにして、最終的に最大突出長さまで突出した状態で縁切りを行うことができる。
【発明の効果】
【００２４】
本発明は、無端チェーンの回動に伴うサイド刃の下向きの移動又は上向の移動状態での平面視におけるサイド刃の無端チェーンからの突出長を可変とするので、サイド刃に作用する抵抗に対応して突出長さを変え、地中においてスムーズにカッターポストの両側面の縁切りを行うことを可能となる。
【図面の簡単な説明】
【００２５】
【図１】本発明の連続地中壁掘削機の側面図である。
【図２】同上のサイド刃ユニットを取付けた状態の連続地中壁掘削機の側面図である。
【図３】同上に用いるサイド刃ユニットを示す一実施形態の斜視図である。
【図４】同上に用いるサイド刃ユニットを示す他の実施形態の斜視図である。
【図５】同上に用いるサイド刃ユニットの更に他の実施形態を示し、（ａ）は分解斜視図であり、（ｂ）（ｃ）はサイド刃を取付けた状態の各例の斜視図である。
【図６】同上に用いるサイド刃ユニットの更に他の実施形態を示す分解斜視図である。
【図７】同上の連続地中壁掘削機を用いて連続地中壁を造成する順序を示す説明図である。
【図８】同上の連続地中壁掘削機を用いて連続地中壁を造成する順序を示す説明図である。
【図９】同上の連続地中壁掘削機を用いて連続地中壁を造成する順序を示す説明図である。
【図１０】同上の一日における連続地中壁の造成終了後にカッターポストを地中の退避位置に移動して残置した状態の説明図である。
【図１１】同上の退避位置において無端チェーンにサイド刃ユニットを取付けてカッターポストの側面と土砂との縁切りを行う工程の説明図である。
【図１２】同上の退避位置において無端チェーンにサイド刃ユニットを取付けてカッターポストの側面と土砂との縁切りを行う工程の説明図である。
【図１３】同上の退避位置から前日造成した連続地中壁の端部まで移動した状態の説明図である。
【発明を実施するための形態】
【００２６】
以下、本発明を添付図面に示す実施形態に基づいて説明する。
【００２７】
連続地中壁掘削機は、図１に示すように、地上を走行自在なベースマシン１と、ベースマシン１に垂設したカッターポスト２と、カッターポスト２の外周に巻装した掘削刃３を有する無端チェーン４とで構成している。
【００２８】
ベースマシン１は、地上を走行するためのクローラ型の走行部１０と、ベースマシン１に設けたフレーム１１と、フレーム１１に水平方向に移動自在に取付けたガイドレール１２と、ベースマシン１の四隅に伸縮自在に設けた支持脚２６とを備えている。
【００２９】
ベースマシン１は、支持脚２６を縮めて上方に引き上げて地面から浮き上がらせた状態で走行でき、支持脚２６を伸ばして地面に接地することで、ベースマシン１を走行できないようにして所定位置にベースマシン１を安定して設置できるようになっている。
【００３０】
ガイドレール１２は縦長となっており、フレーム１１に水平方向に移動自在に取付けてある。このガイドレール１２は油圧シリンダのような水平駆動手段１３を動作することでフレーム１１に対して水平方向に移動する。
【００３１】
上下方向に長いカッターポスト２は、上記ガイドレール１２に対して上下方向に移動自在に取付けてある。このカッターポスト２は油圧シリンダのような上下駆動手段（図示せず）を動作することでガイドレール１２に対して上下方向に移動する。
【００３２】
カッターポスト２の下部にはセメントミルクのような固結用液を吐出するための吐出部が設けてある。
【００３３】
無端チェーン４は、上下に長いカッターポスト２の上端の駆動輪と、下端の遊動輪１５とに架け回すことでカッターポスト２の外周に巻装してある。
【００３４】
駆動輪をモータにより回転駆動することで、無端チェーン４がカッターポスト２の外周を正転、反転するようになっている。
【００３５】
無端チェーン４の外周には外方に向けて複数の掘削刃３が一定ピッチで突設してある。
【００３６】
無端チェーン４の外周の任意の位置にサイド刃ユニット１６を着脱自在に取付けることができるようになっている。
【００３７】
サイド刃ユニット１６は、図３、図４、図５、図６の各例に示すように、コ字状をした取付け部材１７と、取付け部材１７の両側片部１７ａに設けたサイド刃取付け部８に取付けるサイド刃５とで構成してある。
【００３８】
サイド刃ユニット１６のコ字状の取付け部材１７は、無端チェーン４の周方向の任意の位置に外側から嵌め込み、コ字状の取付け部材１７の中央片部１７ｂ又は両側片部１７ａをボルトなどの固着手段で無端チェーン４に着脱自在に取付けるようになっている。図２にサイド刃ユニット１６の取付けの一例を示している。
【００３９】
取付け部材１７を無端チェーン４に取付けた状態で、コ字状の取付け部材１７の両側片部１７ａのサイド刃取付け部８に取付けたサイド刃５が、カッターポスト２の両側方にそれぞれ位置するように無端チェーン４の内周方向に向けて突出するようになっている。
【００４０】
そして、本発明においては、上記無端チェーン４の回動に伴うサイド刃５の下向きの移動又は上向の移動状態での平面視におけるサイド刃５の無端チェーン４からの突出長を土砂の抵抗に対応して変えることができるようにしている。
【００４１】
図３にはサイド刃ユニット１６の一実施形態が示してある。
【００４２】
本実施形態においては、無端チェーン４に着脱自在に取付ける取付け部材１７にサイド刃取付け部８を設け、このサイド刃取付け部８にスライド用嵌め込み部１８を設け、スライド用嵌め込み部１８にサイド刃５をスライド自在に嵌め込んでサイド刃ユニット１６を構成している。
【００４３】
このサイド刃ユニット１６を無端チェーン４に取付けることで、サイド刃５が、カッターポスト２の側面と平行又は略平行な垂直面内で無端チェーン４と交差する方向に突出・後退自在となっている。
【００４４】
図１１、図１２に示す実施形態では、サイド刃５が、カッターポスト２の側面と平行又は略平行な垂直面内で無端チェーン４と直交又は略直行する方向に突出・後退自在となっている。
【００４５】
スライド用嵌め込み部１８とサイド刃５とは、ばね材等の押し出し手段６で連結してあり、押し出し手段６はサイド刃５に突出方向の力を付与している。
【００４６】
サイド刃５の先端部は両縁部が傾斜縁部１９となった三角形状をしている。
【００４７】
連続地中壁掘削機を用いて地中に連続地中壁２０を形成するには以下のようにして造成する。
【００４８】
まず、所定深度まで地中に竪穴を形成する。この竪穴は、支持脚２６を伸ばして接地してベースマシン１が移動できないようにし、更に、ガイドレール１２を水平方向に移動しない状態で、ガイドレール１２に対してカッターポスト２を下降させると共に無端チェーン４を回転しながら掘削刃３で竪穴を形成していく。
【００４９】
この場合、カッターポスト２を上下方向に複数のカッターポスト分割体に分割し、カッターポスト分割体を上下方向に継ぎ足しながら次第に所定の深度まで竪穴を形成していく。ここで、カッターポスト分割体を上下方向に継ぎ足す際に、同時に無端チェーン４も継ぎ足す。
【００５０】
上記のようにして所定深度の竪穴２１を形成することで、地中の所定深度にカッターポスト２を建て込む。
【００５１】
もちろん、カッターポスト２とは別の竪穴掘削機により所定深度まで竪穴２１を形成し、この竪穴２１にカッターポスト２を建て込んでもよい。
【００５２】
このようにして竪穴２１内にカッターポスト２を建て込むに当り、カッターポスト２に巻装した無端チェーン４には、図７に示すように、サイド刃５を備えたサイド刃ユニット１６を取付けない状態で建て込む。
【００５３】
カッターポスト２を竪穴２１に建て込んだ後、カッターポスト２を竪穴２１内に位置させたままの状態で、ベースマシン１を移動すると共に、ガイドレール１２をベースマシン１の移動方向と反対方向に移動することで、カッターポスト２を支持しているガイドレール１２をフレーム１１の水平方向の一方側にずらした位置とする。
【００５４】
この場合、カッターポスト２を支持しているガイドレール１２をフレーム１１の水平方向の一方側にあらかじめずらした状態でカッターポスト２を建て込んでもよい。
【００５５】
次に、無端チェーン４を回転しながら、同時に水平駆動手段１３を動作させてガイドレール１２を水平方向の他方側に移動する力を作用させる。これにより、ガイドレール１２に取付けたカッターポスト２が水平方向に移動しながら無端チェーン４に設けた掘削刃３で地盤２２を掘削していく。
【００５６】
この掘削時にカッターポスト２に設けた吐出部からセメントミルクのような固結用液を吐出しながら掘削する。
【００５７】
ガイドレール１２が上記他方向に所定長移動してフレーム１１の水平方向の他方側に至ると、水平駆動手段１３を逆方向に動作させてガイドレール１２を逆方向（つまり）水平方向の一方側に移動させると共に、支持脚２６を上に引き上げてベースマシン１を他方向に移動させ、フレーム１１の一方側に戻ったガイドレール１２を直前に掘削形成した連続地中壁２０の他方側の端部に位置させる。
【００５８】
この状態で、再び前述のように無端チェーン４を回転しながら、同時に水平駆動手段１３を動作させてガイドレール１２を水平方向の他方側に移動する力を作用させ、カッターポスト２を水平方向に移動させると共に固結用液を吐出しながら無端チェーン４に設けた掘削刃３で直前に掘削形成した連続地中壁２０の端部から連続して新たな連続地中壁２０を掘削していく。
【００５９】
上記の工程を繰り返しながら、図８に示すように連続地中壁２０の造成長さを伸ばしていく。
【００６０】
造成する連続地中壁２０には必要に応じて図９に示すように、Ｈ型鋼材などの上下に長い構造材２３を埋入する。構造材２３の埋入に当っては、地上においてクレーンなどで構造材２３を吊り上げて連続地中壁２０に埋入する。
【００６１】
一日の固結用液を吐出しての連続地中壁２０の造成作業が終わると、その日に造成した連続地中壁２０の端部から、更に、固結用液を吐出することなく無端チェーン４を回転しながらカッターポスト２を移動させて、図１０に示すように地中の連続地中壁２０の端部から離れた位置にカッターポスト２を退避させ、この退避位置２４にカッターポスト２を残置したままその日の作業を終了する。
【００６２】
固結用液と掘削土砂とが攪拌混合された連続地中壁２０は、固結用液の硬化が始まるが、カッターポスト２はこの固結用液の硬化が始まっている連続地中壁２０の端部から離れた固結用液が存在しない地中の退避位置２４に残置されるので、カッターポスト２が固結用液で硬化することがない。
【００６３】
しかし、翌日、連続地中壁２０の造成を再開するには、再び前日造成した連続地中壁２０の端部までカッターポスト２を戻して連続地中壁２０の造成を継続する必要がある。
【００６４】
この場合、地中の退避位置２４に残置したカッターポスト２は上記のように固結用液により硬化していないが、カッターポスト２の両側の土砂がカッターポスト２の両側面に密着して土圧がかかり、カッターポスト２が移動できない可能性がある。
【００６５】
そこで、本発明においては、カッターポスト２に巻装した無端チェーン４に、前述のサイド刃５を備えたサイド刃ユニット１６を取付ける。
【００６６】
サイド刃ユニット１６の無端チェーン４への取付けは、無端チェーン４の上端部の地上に露出している部分に取付け、両サイド刃５をカッターポスト２の両側方に位置するように無端チェーン４の内周方向に向けて突出させる。
【００６７】
この状態で、図１１に示すように無端チェーン４を一方向に回転することで、サイド刃５が地上から地中に進入し、サイド刃５で、カッターポスト２の両側面と両側の土砂との縁切りを行う。
【００６８】
この場合、サイド刃５が下に進むほど土砂の抵抗が大きくなるが、この土砂の抵抗によりサイド刃５が押し出し手段６に抗して後退して突出長さが短くなることで、サイド刃５がスムーズにカッターポスト２の両側面と両側の土砂との縁を切るように進入していく。
【００６９】
本実施形態においては、サイド刃５が地中を進むと傾斜縁部１９に作用する土砂の抵抗により、サイド刃５を後退させる方向の分力が発生し、押し出し手段６に抗して後退する。
【００７０】
サイド刃５がカッターポスト２の下端部近くまで下降した状態で、無端チェーン４の回転を停止し、地上に出ている無端チェーン４の上端部に別のサイド刃５を備えたサイド刃ユニット１６を取付ける。
【００７１】
次に、図１２に示すように無端チェーン４を上記とは逆方向に回転させる。これにより、最初に取付けたサイド刃５は上方に移動し、次に取付けたサイド刃５は地上から地中に進入する。
【００７２】
この場合、次に取付けけたサイド刃５は、前述の先に取付けたサイド刃５が地上から地中に進入する際と同様に、土砂の抵抗によりサイド刃５が後退して突出長さが短くなった状態でスムーズにカッターポスト２の両側面と両側の土砂との縁切りを行う。
【００７３】
一方、最初に取付けたサイド刃５は下端から上方に進む際、すでに突出長さの短い状態でカッターポスト２の両側面と両側の土砂との縁切りしたところを上に移動していくので、土砂の抵抗が少なく、このため、ばね材等の押し出し手段６により突出長さが少しずつ長くなくなるように押し出されて上方に移動し、突出長さが長くなった部分で新たにカッターポスト２の両側面と両側の土砂との縁切りを行うことになる。
【００７４】
一方のサイド刃５がカッターポスト２の上端部近くまで上昇すると、同時に次に取付けたサイド刃５がカッターポスト２の下端部近くまで下降するので、この段階で、無端チェーン４の回転を停止し、上記と逆方向に無端チェーン４を回転し、先に取付けたサイド刃５を下降させると共に、次に取付けたサイド刃５を上昇させる。
【００７５】
上記のような順序で無端チェーン４の回転を一方向、逆方向に交互に回転することで、次第にガイド刃５が押し出し手段６で押し出されて突出長さが長くなり、スムーズにカッターポスト２の両側面と両側の土砂との縁切りを行うことができる。
【００７６】
上記例では、先に取付けたサイド刃５がカッターポスト２の下端部付近まで下降すると、次のサイド刃５を取付けて無端チェーン４を逆方向に回転する例で説明したが、サイド刃５は最初のみ取付け、このサイド刃５がカッターポスト２の一方の片側に沿って下端まで下降し、更に下端を越えてカッターポスト２の反対側の片側に沿って上端部付近まで上昇し、その後、無端チェーン４を逆方向に回転して、再び反対側の片側に沿って下端まで下降し、更に下端を越えてカッターポスト２の一方の片側に沿って上端部付近まで上昇し、ということを繰り返すことで、カッターポスト２の両側面と両側の土砂との縁切りを行うようにしてもよい。
【００７７】
上記のようにしてカッターポスト２の両側面と両側の土砂との縁切り工程が終わると、無端チェーン４を回転してサイド刃５を備えたサイド刃ユニット１６を地上に露出させた状態で停止し、この状態で地上でサイド刃ユニット１６を無端チェーン４から取外す。
【００７８】
次に、固結用液を吐出することなく無端チェーン４を回転しながらカッターポスト２を移動させて、図１３に示すように、退避位置２４から前日に造成した地中の連続地中壁２０の端部まで移動する。
【００７９】
その後、既に説明した前日における連続地中壁２０の造成と同様にして、前日に形成した連続地中壁２０の端部に連続する新たな連続地中壁２０を造成する。
【００８０】
当日の連続地中壁２０の造成が終わると、既に説明したように、カッターポスト２を地中の退避位置２４まで移動して残置し、翌日、上記と同様の作業を行う。
【００８１】
複数日にわたる上記のような連続地中壁２０の造成が完了すると、カッターポスト２をガイドレール１２から取外し、クレーンなどの引き上げ装置を用いて連続地中壁２０内からカッターポスト２を地上に引き上げる。
【００８２】
図４には、サイド刃ユニット１６の他の実施形態が示してある。
【００８３】
本実施形態においては、無端チェーン４に着脱自在に取付けるコ字状をした取付け部材１７の両側部であるサイド刃取付け部８にそれぞれサイド刃５を回動自在に取付けてサイド刃ユニット１６を構成している。
【００８４】
ここで、無端チェーン４の外周の任意の位置にサイド刃ユニット１６を取付けた状態で、サイド刃５が、カッターポスト２の側面と平行又は略平行な垂直面内で無端チェーン４と交差する方向に突出・後退自在となるように、サイド刃５を回動自在に取付けてある。
【００８５】
また、上記のように回動自在に取付けられたサイド刃５には、サイド刃ユニット１６に設けたばね材よりなる回動付勢手段７により、サイド刃５を平面視での突出長さがほぼ最大となる位置に回動付勢させるため回動付勢力が付与してある。
【００８６】
本実施形態のサイド刃ユニット１６を前述のサイド刃ユニット１６と同様にして無端チェーン４に取付ける。
【００８７】
本実施形態においては、土砂の抵抗によりサイド刃５が回動付勢手段７の付勢力に抗して回動することでサイド刃  ５の突出長さが短くなった状態でカッターポスト２の両側面と両側の土砂との縁切りを行うように掘削する。
【００８８】
そして、土砂の抵抗が少なくなるとサイド刃５が次第に回動付勢手段７の付勢力で土砂の抵抗とバランスを取る位置まで回動することで、平面視における突出長が長くなってカッターポスト２の両側面と両側の土砂との縁切りを行う。
【００８９】
本実施形態において、他の構成、作用等は前述の実施形態と同様なので説明及び一部の縁切りの図面は省略する。
【００９０】
図５には、サイド刃ユニット１６の更に他の実施形態が示してある。
【００９１】
本実施形態においては、無端チェーン４に着脱自在に取付けるコ字状をした取付け部材１７の両側部であるサイド刃取付け部８にそれぞれサイド刃５を固着手段９で固着自在に取付ける例を示している。
【００９２】
本実施形態では、サイド刃５をサイド刃取付け部８に取付けるに当り、サイド刃５の後部とサイド刃取付け部８との固着手段９による固着位置を変えることで、サイド刃５の平面視における突出長さを変えることができるようにしている。
【００９３】
この実施形態では、サイド刃５の後部とサイド刃取付け部８に取付け孔２５を形成してボルトのような固着手段９により着脱自在に固着するに当り、サイド刃５の後部、サイド刃取付け部８の両方又はいずれか一方にサイド刃５の長手方向に複数の取付け孔２５を形成し、固着手段９で固着する双方の取付け孔２５を選択することで、サイド刃５の平面視における突出長さを変えることができる。
【００９４】
そして、カッターポスト２の両側面と両側の土砂との縁切りを行うに当り、最初は、サイド刃５の平面視における突出長さが短い状態となるように固着手段９で固着して、無端チェーン４を前述の実施形態と同様にして回転して縁切りを行い。次に、サイド刃５の平面視における突出長さが少し長くなるように固着位置を変えて上記と同様に無端チェーン４を回転して縁切りを行い。次に、更に、サイド刃５の平面視における突出長さが少し長くなるように固着位置を変えて上記と同様に無端チェーン４を回転して縁切りを行うというようにして、次第に縁切りの長さを長くする。
【００９５】
本実施形態においても、他の構成、作用等は前述の実施形態と同様なので説明及び縁切りの図面は省略する。
【００９６】
また、図６には、サイド刃ユニット１６の更に他の実施形態が示してある。
【００９７】
本実施形態においては、無端チェーン４に着脱自在に取付けるコ字状をした取付け部材１７の両側片部１７ａであるサイド刃取付け部８にそれぞれサイド刃５を固着手段９で固着自在に取付ける例を示している。
【００９８】
本実施形態では、取付け孔２５を有する長さの異なる複数のサイド刃５を用意する。また、サイド刃取付け部８に取付け孔２５を設ける。
【００９９】
そして、カッターポスト２の両側面と両側の土砂との縁切りを行うに当り、最初は、短いサイド刃５をサイド刃取付け部８に固着手段９で着脱自在に固着して、この平面視における突出長さが短いサイド刃５を用いて、無端チェーン４を前述の実施形態と同様にして回転して縁切りを行い。次に、長さの短いサイド刃５をサイド刃取付け部８から取外すと共に、これよりも少し長いサイド刃５を固着手段９で着脱自在に固着して、上記と同様に無端チェーン４を回転して縁切りを行というようにして、長さの異なるサイド刃５を交換して取付けて上記と同様に無端チェーン４を回転して縁切りを行うというようにして、次第に縁切りの長さを長くする。
【０１００】
本実施形態においても、他の構成、作用等は前述の実施形態と同様なので説明及び縁切りの図面は省略する。
【０１０１】
上記いずれの実施形態においても、カッターポスト２の両側面と両側の固結用液を混入した土砂とが密着している場合に、上記と同様にしてサイド刃５を取付け、上記と同様の作用で、カッターポスト２の両側面と両側の固結用液を混入した土砂との縁切りを行うこともできる。
【０１０２】
また、上記いずれの実施形態においても、サイド刃ユニット１６のコ字状をした取付け部材１７を無端チェーン４に固着手段で着脱自在に取付ける例で説明したが、取付け部材１７が無端チェーン４のチェーン素子を兼ねていてもよく、この場合は、サイド刃５を取付ける必要がある場合は、無端チェーン４の一部のチェーン素子を外し、外した箇所にチェーン素子を兼ねた取付け部材１７を連結するようにしてもよい。
【符号の説明】
【０１０３】
１  ベースマシン
２  カッターポスト
３  掘削刃
４  無端チェーン
５  サイド刃
６  押し出し手段
７  回動付勢手段
８  サイド刃取付け部
９  固着手段
【図１】
2012162892.tif 000003
【図２】
2012162892.tif 000004
【図３】
2012162892.tif 000005
【図４】
2012162892.tif 000006
【図５】
2012162892.tif 000007
【図６】
2012162892.tif 000008
【図７】
2012162892.tif 000009
【図８】
2012162892.tif 000010
【図９】
2012162892.tif 000011
【図１０】
2012162892.tif 000012
【図１１】
2012162892.tif 000013
【図１２】
2012162892.tif 000014
【図１３】
2012162892.tif 000015